(57)【要約】【課題】紙以外の細断片でダストボックスが埋まった状態でさらに細断を行ったとしても、細断機構及びシュレッダ本体を損傷させることなく、紙以外の細断片及び紙細断片用の二つのダストボックスを取り出すことができるシュレッダを提供する。【解決手段】細断機構を有するシュレッダ本体と、細断機構による細断片が排出される排出部の下方に上面開口が配置されるダストボックスと、を有し、ダストボックスに所定体積分の細断片が収容された場合に、ダストボックスにより細断片を収容可能な空間が増加する構成としたことを特徴としている。【選択図】図６
2007307510.tif 000002
【特許請求の範囲】
【請求項１】
裁断機構を有するシュレッダ本体と、
前記細断機構による細断片が排出される排出部の下方に上面開口が配置されるダストボックスと、を有し、
前記ダストボックスの所定体積分の細断片を収容した場合に、前記ダストボックスにより前記細断片を収容可能な空間が増加する構成としたこと
を特徴とするシュレッダ。
【請求項２】
細断機構を有するシュレッダ本体と、
前記細断機構による細断片が排出される排出部の下方に上面開口が配置されるダストボックスと、
前記ダストボックスを所定位置に保持するとともに、前記ダストボックスの保持位置を移動させ又は保持状態を解除することが可能な保持手段と、を有すること
を特徴とするシュレッダ。
【請求項３】
細断機構を有するシュレッダ本体と、
前記細断機構による細断片が排出される排出部の下方に上面開口が配置されるダストボックスと、
前記ダストボックスを所定位置に保持するとともに、前記ダストボックスに所定以上の荷重がかかった場合に前記ダストボックスが落下することを許容する保持手段と、を有すること
を特徴とするシュレッダ。
【請求項４】
複数の細断機構を互いに異なる位置に配置してなるシュレッダ本体と、
前記複数の細断機構による細断片がそれぞれ排出される複数の排出部の下方に、上面開口を配置してなる第１ダストボックスと、
前記第１ダストボックス内に収容され、前記複数の細断機構のうちプラスチックを裁断するための細断機構による細断片が排出される排出部の下方に上面開口が配置される第２ダストボックスと、
前記第２ダストボックスを前記第１ダストボックス内の所定位置に保持するとともに、前記第２ダストボックスに所定以上の荷重がかかった場合に前記第２ダストボックスが前記第１ダストボックス内で落下することを許容する保持手段と、を備えること
を特徴とするシュレッダ。
【請求項５】
第１細断機構及び第２細断機構を互いに異なる位置に配置してなるシュレッダ本体と、
前記第１細断機構及び第２細断機構による細断片がそれぞれ排出される第１排出部及び第２排出部の下方に、上面開口を配置してなる第１ダストボックスと、
前記第１ダストボックス内に収容され、前記第２細断機構による細断片が排出される前記第２排出部の下方に上面開口が配置される第２ダストボックスと、
前記第２ダストボックスを前記第１ダストボックス内の所定位置に保持するとともに、前記第２ダストボックスに所定以上の荷重がかかった場合に前記第２ダストボックスが前記第１ダストボックス内で落下することを許容する保持手段と、を備えること
を特徴とするシュレッダ。
【請求項６】
前記保持手段は、前記第２ダストボックスの側面に外方へ突出するように設けた突起部と、前記第１ダストボックスの側面において、前記第２ダストボックスの落下方向に沿って、前記突起部を案内するように設けられた案内支持部と、を備え、
前記案内支持部は、前記第２ダストボックスが前記第１ダストボックス内の前記所定位置に保持されるように、その弾性により前記突起部を保持する保持部を備え、
前記第２ダストボックスに所定以上の荷重がかかった場合には、前記保持部の弾性保持力に抗して、前記第２ダストボックスが前記第１ダストボックス内で落下すること
を特徴とする請求項５に記載のシュレッダ。
【請求項７】
前記保持手段は、前記第１ダストボックスの側面に内方へ突出するように設けた突起部と、前記第２ダストボックスの側面において、前記第２ダストボックスの落下方向に沿って、前記突起部を案内するように設けられた案内支持部と、を備え、
前記案内支持部は、前記第２ダストボックスが前記第１ダストボックス内の前記所定位置に保持されるように、その弾性により前記突起部に保持する保持部を備え、
前記第２ダストボックスに所定以上の荷重がかかった場合には、前記保持部の弾性保持力に抗して、前記第２ダストボックスが前記第１ダストボックス内で落下すること
を特徴とする請求項５に記載のシュレッダ。
【請求項８】
前記案内支持部は、前記第２ダストボックス落下方向に沿って延びる溝であって、前記保持部は、前記溝から互いに接近するように突出形成された一対の弾性部材であること
を特徴とする請求項６又は請求項７に記載のシュレッダ。
【請求項９】
前記保持部は、樹脂により形成されていることを特徴とする請求項６乃至請求項８のうち、いずれか１に記載のシュレッダ。
【請求項１０】
前記案内支持部は、互いに対向して配置された一対の板バネによって構成され、前記保持部は、互いに接近するように折り曲げ加工されて構成されていることを特徴とする請求項６又は請求項７に記載のシュレッダ。
【請求項１１】
前記第２排出部の下方に上面開口が配置されるように、前記第２ダストボックスの姿勢を維持するための姿勢維持手段を備えることを特徴とする請求項５乃至請求項１０のうち、いずれか１に記載のシュレッダ。
【請求項１２】
前記姿勢維持手段は、前記第１ダストボックス及び第２ダストボックスの一方において、前記第２ダストボックスの落下方向に沿って形成した案内溝と、前記第１ダストボックス及び第２ダストボックスの他方において、前記案内溝内で移動可能となるように突出形成された突条であることを特徴とする請求項１１に記載のシュレッダ。
【請求項１３】
前記案内溝及び前記突条は、それぞれ１以上設けられていることを特徴とする請求項１２に記載のシュレッダ。
【請求項１４】
前記第２ダストボックスの底面は、下方に凸の曲面形状をなしていることを特徴とする請求項５乃至請求項１３のうち、いずれか１に記載のシュレッダ。
【発明の詳細な説明】
【技術分野】
【０００１】
本発明は、シュレッダに関し、特に、複数の細断機構を備え、一つの細断機構による細断片を収容するダストボックスが、他の細断機構による細断片を収容するダストボックス内に収容されるシュレッダに関する。
【背景技術】
【０００２】
二つの細断機構を備え、一方の細断機構では紙を細断し、他方の細断機構ではプラスチック（例えば、コンパクトディスクやクレジットカード）を細断し、各細断機構による細断片をそれぞれ別個のダストボックスに収容し、かつ、プラスチックの細断片用のダストボックスを紙の細断片用のダストボックス内に固定したタイプのシュレッダがある（例えば、特許文献１）。このように、細断対象物に応じて細断機構を使い分けることにより、廃棄物の分別回収に容易に対応することができる。また、各細断機構の仕様を細断対象物に応じて設定することができるため、コストを削減することができるとともに、各細断機構の細断対象物を明確にすることにより、細断対象でないものを誤って入れることがなくなるため、細断機構の故障を防止することができる。
【０００３】
【特許文献１】特開２００５−３０５３１９号公報
【発明の開示】
【発明が解決しようとする課題】
【０００４】
しかしながら、上述のシュレッダにおいては、プラスチックの細断片でダストボックスが埋まった状態でさらにプラスチックの細断を行うと、ダストボックスに収容できない細断片が上部開口からはみ出してしまうおそれがある。これは、紙の細断片で埋まったダストボックスに、さらに紙の細断片を入れても、ダストボックス内の細断片間の空間が圧縮されて、上部開口からあふれ出しにくいこととは大きく異なり、プラスチックの細断片で特に現れやすい現象である。
【０００５】
上述のように、プラスチックの細断片がダストボックスからはみ出してしまった場合は、細断を途中で停止せざるを得ず、その状態で無理にダストボックスを取り出そうとすると細断機構を破損してしまうおそれがある。また、細断が終了できていたとしても、はみ出してしまった細断片がシュレッダ本体に引っかかってしまって、プラスチック細断片用のダストボックスだけでなく、これを収容した紙細断片用のダストボックスも取り出せないおそれがある。
【０００６】
そこで、本発明は、プラスチックの細断片でダストボックスが埋まった状態でさらにプラスチックの細断を行ったとしても、細断機構及びシュレッダ本体を損傷させることなく、プラスチック細断片及び紙細断片用の二つのダストボックスを取り出すことのできるシュレッダを提供することを目的としている。
【課題を解決するための手段】
【０００７】
上記課題を解決するために、本発明のシュレッダにおいては、細断機構を有するシュレッダ本体と、細断機構による細断片が排出される排出部の下方に上面開口が配置されるダストボックスと、を有し、ダストボックスに所定体積分の細断片が収容された場合に、ダストボックスにより細断片を収容可能な空間が増加する構成としたことを特徴としている。
【０００８】
本発明のシュレッダは、細断機構を有するシュレッダ本体と、細断機構による細断片が排出される排出部の下方に上面開口が配置されるダストボックスと、ダストボックスを所定位置に保持するとともに、ダストボックスの保持位置を移動させ又は保持状態を解除することが可能な保持手段と、を有することを特徴としている。
【０００９】
本発明のシュレッダは、細断機構を有するシュレッダ本体と、細断機構による細断片が排出される排出部の下方に上面開口が配置されるダストボックスと、ダストボックスを所定位置に保持するとともに、ダストボックスに所定以上の荷重がかかった場合にダストボックスが落下することを許容する保持手段と、を有することを特徴としている。
【００１０】
本発明のシュレッダは、複数の細断機構を互いに異なる位置に配置してなるシュレッダ本体と、複数の細断機構による細断片がそれぞれ排出される複数の排出部の下方に、上面開口を配置してなる第１ダストボックスと、第１ダストボックス内に収容され、複数の細断機構のうちプラスチックを細断するための細断機構による細断片が排出される排出部の下方に上面開口が配置される第２ダストボックスと、第２ダストボックスを第１ダストボックス内の所定位置に保持するとともに、第２ダストボックスに所定以上の荷重がかかった場合に第２ダストボックスが第１ダストボックス内で落下することを許容する保持手段と、を備えることを特徴としている。
【００１１】
本発明のシュレッダは、第１細断機構及び第２細断機構を互いに異なる位置に配置してなるシュレッダ本体と、第１細断機構及び第２細断機構による細断片がそれぞれ排出される第１排出部及び第２排出部の下方に、上面開口を配置してなる第１ダストボックスと、第１ダストボックス内に収容され、第２細断機構による細断片が排出される第２排出部の下方に上面開口が配置される第２ダストボックスと、第２ダストボックスを第１ダストボックス内の所定位置に保持するとともに、第２ダストボックスに所定以上の荷重がかかった場合に第２ダストボックスが第１ダストボックス内で落下することを許容する保持手段と、を備えることを特徴としている。
【００１２】
本発明のシュレッダは、保持手段が、第２ダストボックスの側面に外方へ突出するように設けた突起部と、第１ダストボックスの側面において、第２ダストボックスの落下方向に沿って、突起部を案内するように設けられた案内支持部と、を備え、案内支持部は、第２ダストボックスが第１ダストボックス内の所定位置に保持されるように、その弾性により突起部を保持する保持部を備え、第２ダストボックスに所定以上の荷重がかかった場合には、保持部の弾性保持力に抗して、第２ダストボックスが第１ダストボックス内で落下することを特徴としている。
【００１３】
本発明のシュレッダは、保持手段が、第１ダストボックスの側面に内方へ突出するように設けた突起部と、第２ダストボックスの側面において、第２ダストボックスの落下方向に沿って、設けられた案内支持部と、を備え、案内支持部は、第２ダストボックスが第１ダストボックス内の所定位置に保持されるように、その弾性により突起部に保持される保持部を備え、第２ダストボックスに所定以上の荷重がかかった場合には、保持部の弾性保持力に抗して、第２ダストボックスが第１ダストボックス内で落下することを特徴としている。
【００１４】
本発明のシュレッダは、案内支持部が、第２ダストボックス落下方向に沿って延びる溝であって、保持部は、溝から互いに接近するように突出形成された一対の弾性部材であることを特徴としている。
【００１５】
本発明のシュレッダは、保持部が樹脂により形成されていることを特徴としている。
【００１６】
本発明のシュレッダは、案内支持部が、互いに対向して配置された一対の板バネによって構成され、保持部は、互いに接近するように折り曲げ加工された部分であることを特徴としている。
【００１７】
本発明のシュレッダは、第２排出部の下方に上面開口が配置されるように、第２ダストボックスの姿勢を維持するための姿勢維持手段を備えることを特徴としている。
【００１８】
本発明のシュレッダは、姿勢維持手段が、第１ダストボックス及び第２ダストボックスの一方において、第２ダストボックスの落下方向に沿って形成した案内溝と、第１ダストボックス及び第２ダストボックスの他方において、案内溝内で移動可能となるように突出形成された突条であることを特徴としている。
【００１９】
本発明のシュレッダは、案内溝及び突条が、それぞれ２以上設けられていることを特徴としている。
【００２０】
本発明のシュレッダは、第２ダストボックスの底面が、下方に凸の曲面形状をなしていることを特徴としている。
【発明の効果】
【００２１】
本発明によると、紙以外の細断片でダストボックスが埋まった状態でさらに細断を行ったとしても、細断機構及びシュレッダ本体を損傷させることなく、紙以外の細断片及び紙細断片用の二つのダストボックスを取り出すことができる。
【発明を実施するための最良の形態】
【００２２】
以下、本発明にかかる実施形態を、図１乃至図９を参照して、詳しく説明する。尚、本実施形態に係るシュレッダは、本発明を、紙用と紙以外用の二つの細断機構を備え、ダストボックスを引き出すタイプのシュレッダに適用したものであるが、本発明はこの実施形態に限られず、例えば、細断機構が１つだけのシュレッダ、細断機構を３つ以上備えるシュレッダ、及び、シュレッダ本体を上方に持ち上げてダストボックスと分離するタイプのシュレッダにも適用することができる。
【００２３】
ここで、図１は、本実施形態に係るシュレッダの構成を示す斜視図、図２は、本実施形態に係るシュレッダの前面からダストボックスを引き出した状態を示す斜視図、図３は、ダストボックスを収容した状態のシュレッダのダストボックス引き出し方向に直交する断面図、図４は、本実施形態に係る第１ダストボックスの側面の内面の構成を示す拡大図、図５は、本実施形態に係る第２ダストボックスの構成を示す斜視図、図６は、第２ダストボックスを第１ダストボックス内に収容する前の状態を示す斜視図、図７は、第２ダストボックスを第１ダストボックス内に収容した状態を示す斜視図、図８は、第２ダストボックスの突起部が第１ダストボックスの溝に設けられた保持部に保持された状態を示す拡大側面図、図９は、第２ダストボックスが落下した後に、第２ダストボックスの突起部が第１ダストボックスの溝に支持された状態を示す拡大側面図である。
【００２４】
本実施形態にかかるシュレッダは、第１細断機構１１及び第２細断機構１２を備えるシュレッダ本体１０と、第１細断機構１１及び第２細断機構１２による細断片がそれぞれ排出される第１排出部１１ａ及び第２排出部１２ａの下方に上面開口を配置してなる第１ダストボックス２０と、第１ダストボックス２０内に取り外し可能に収容され、第２排出部１２ａの下方に上面開口が配置される第２ダストボックス３０と、第２ダストボックス３０を第１ダストボックス２０内の所定位置に保持するとともに、第２ダストボックス３０に所定以上の荷重がかかった場合に第２ダストボックス３０が第１ダストボックス２０内で落下することを許容する保持手段と、を備える。このような構成により、第１細断機構１１による細断片は第１ダストボックス２０に収容され、第２細断機構１２による細断片は第２ダストボックス３０に収容され、第１ダストボックス２０を引き出すことにより、第１ダストボックス２０及び第２ダストボックス３０にため込まれた細断片を分別された状態で取り出して廃棄することができる。
【００２５】
図３に示すように、シュレッダ本体１０は、内部空間内に第１細断機構１１及び第２細断機構１２を内蔵位置を異ならせるように配置した中空略直方体状の上方基部１３と、上方基部１３の各側面を下方に延ばして底面と連接して中空空間を形成し、開放した前側面開口１５ａ（図２）から、この空間内に第２ダストボックスを収容した第１ボックスを引き出し可能に収納するダストボックス収納部１５と、を備える。本実施形態では、第１細断機構１１は紙を細断するために、第２細断機構１２は紙以外のプラスチック製の板状材料（例えば、コンパクトディスクその他の記録メディア、クレジットカード、キャッシュカードその他のカード、ＯＨＰ用シート）を対象物として細断するために設けられている。このダストボックス収納部１５内に第２ダストボックスを収容した第１ボックスを収めることで本実施形態のシュレッダが構成される。
【００２６】
第１細断機構１１は、第１ダストボックス２０の引き出し方向（前後方向）（図３の紙面に垂直な方向）に延びる主軸１１０ａと、この主軸１１０ａの軸線方向において互いに間隔を置いて主軸１１０ａ上に設けられた複数の細断刃体１１０ｂと、からなる２本の軸状回転カッター体１１０を、互いに並列に配設させることにより構成されている。第２細断機構１２も、第１細断機構１１と同様の構成であり、上述の主軸１１０ａと平行に配置された主軸１２０ａと、主軸１２０ａの軸線方向において互いに間隔を置いて主軸１２０ａ上に設けられた複数の細断刃体１２０ｂと、からなる２本の軸状回転カッター体１２０を、互いに並列に配設させることにより構成されている。
【００２７】
第１細断機構１１の下方には、上方基部１３の下面にスリット状に開設された第１排出部１１ａが形成され、第２細断機構１２の下方には、上方基部１３の下面にスリット状に開設された第２排出部１２ａが形成されている。また、第１細断機構１１の上方には、上方基部１３の上面にスリット状に開設され、細断対象の紙が挿入される第１挿入部１１ｂが形成され、第２細断機構１２の上方には、上方基部１３の上面にスリット状に開設され、細断対象のプラスチック製の板状材料が挿入される第２挿入部１２ｂが形成されている。
【００２８】
第１挿入部１１ｂから入れ込まれた紙は一対の軸状回転カッター体１１０、１１０の間に送り込まれ、この一対の軸状回転カッター体１１０、１１０の回転によって細断され、細断片となって第１排出部１１ａから下方へ送り出される。また、第２挿入部１２ｂから入れ込まれた紙以外の細断対象物は一対の軸状回転カッター体１２０、１２０の間に送り込まれ、この一対の軸状回転カッター体１２０、１２０の回転によって細断され、細断片となって第２排出部１２ａから下方に送り出される。なお、軸状回転カッター体１１０及び軸状回転カッター体１２０の回転駆動は、ハンドル（図に示さず）を用いて手動で行っても良いし、モータを用いて電動で行っても良い。
【００２９】
本実施形態においては、第１排出部１１ａ及び第２排出部１２ａの下方に後述の第１ダストボックス２０の上面開口２０ａが配置されるとともに、保持手段により第１ダストボックス２０に保持された第２ダストボックス３０の上面開口３０ａが第２排出部１２ａの下方に配置される。
【００３０】
第１ダストボックス２０は、ダストボックス収納部１５の内面形状に対応した外形形状を備えた中空箱状をなし、その前側面２１（図２）には、ダストボックス収納部１５から引き出すときに用いる把持部２１ａが設けられている。この第１ダストボックス２０は、樹脂の成形により形成される。
【００３１】
第１ダストボックス２０においては、第１ダストボックス２０の引き出し方向に沿って延びる側面のうち、第２挿入部１２ｂの下方側の側面２３に、案内支持部としての溝２２と案内溝（姿勢維持手段）２６を備えている（図４）。溝（案内支持部）２２は、側面２３を貫通するとともに、上下方向（第２ダストボックス３０の落下方向）（図３、４の上下方向）に延びるように形成されている。溝２２の上端及び下端には、第２ダストボックスの突起部３２の軸部３２ａ及び頂部３２ｂが挿抜可能な突起部挿入穴２２ａ、２２ｂが設けられている。この突起部挿入孔２２ａ、２２ｂの間には、突起部３２の軸部３２ａよりも狭い間隙となるように突出形成された一対の保持部２４、２４が形成され、この保持部２４を挟む上下の溝部分は突起部３２の挿抜はできないがその軸部３２ａが上下に移動可能な幅を備えている。第１ダストボックス２０が樹脂で形成されているため、保持部２４は弾性を有し、このため保持部２４の上部で突起部３２を弾性保持することができる。さらに、一対の保持部２４を挟むように、上下方向に延びる貫通孔部２５、２５が設けられているため、保持部２４は弾性変形しやすくなる。これにより、第２ダストボックスを第１ダストボックス２０内の上下方向の所定位置に保持する。この所定位置とは、第２ダストボックスの上面開口３０ａが第１ダストボックス２０の上面開口２０ａと略一致する位置であって、この位置に第２ダストボックスを配置すると、空の第１ダストボックス２０及び第２ダストボックスをダストボックス収納部１５内に挿入又はダストボックス収納部１５から引き出すことに支障が生ぜず、かつ、第１ダストボックス２０内に無駄な空間が生じない。なお、第１ダストボックス２０のうち保持部２４のみを弾性材料で構成してもよい
【００３２】
また、側面２３には、その内面から外方へ向けて凹設された２本の案内溝（姿勢維持手段）２６が、第１ダストボックス２０の上下方向に沿って、溝２２を挟んで、互いに平行に形成されている。
【００３３】
図５に示す第２ダストボックス３０は、略半楕円状で互いに対向する２つの側面を、側面視Ｕ字状をなす長板部材で連接した形態の中空形状をなし、その底面３１は、下方に凸の曲面形状となっている。底面３１が下方に凸の局面形状となっているために、コンパクトディスク等の円形の細断対象物を２分割程度に細断した場合、第２ダストボックス３０内への収まりが良好となる。この第２ダストボックスは、樹脂の成形により形成する。底面３１の外側には、脚部３８が設けられており、後述のように第２ダストボックスが落下した場合に、さらに転倒することを防止されるようになっている。
【００３４】
第２ダストボックスの略半円状の側面の一方の側面３３には、外方へ突出するように形成された突起部（保持手段）３２と、上下方向（図５の上下方向）に沿って互いに平行に延び、かつ、外方へ突出するように２本の突条（姿勢維持手段）３６が形成されている。この２本の突条３６は、上面開口３０ａから底面３１へ向かって延び、突起部３２を挟むように配置されている。突起部３２は、略ネジ状の形態をなし、軸部３２ａの一端が側面３３に固定され、他端が軸部３２ａより外径の大きな円板状の頂部３２ｂに結合されている。突条３６は、第２ダストボックスの仕様に応じて、本数及び長さを定めることができ、例えば１本でもよいし、３本以上であってもよい。
【００３５】
ここで、突起部３２と、溝２２と、により本発明に係る保持手段が構成され、案内溝２６と、突条３６と、により本発明の姿勢維持手段が構成される。
【００３６】
つづいて、図６〜図８を参照しつつ、第２ダストボックスの第１ダストボックス２０へのセットについて説明する。まず、２本の突条３６を２本の案内溝２６にそれぞれ嵌め込んで、上下に摺動させることによって溝２２に対する突起部３２の位置を調整して、軸部３２ａ及び頂部３２ｂを突起部挿入孔２２ａから溝２２内に挿入する。次に、軸部３２ａを溝２２の内側面に摺動させつつ、第２ダストボックスを下方に移動させ、軸部３２ａが保持部２４に当接した位置（所定位置）で第２ダストボックスを第１ダストボックス２０に保持させる（図７、図８）。このとき、側面２３の内面と側面３３の外面とが接触又は近接した状態となり、上面開口３０ａが第２排出部１２ａの下方に配置されるため、第２細断機構１２で細断された細断片を第２ダストボックス内に確実に収容することができる。
【００３７】
第２細断機構１２による細断を続けていくと、第２ダストボックス３０に収容できない細断片が上部開口３０ａ及び第１ダストボックス２０の上面開口２０ａからはみ出してしまうことがある。はみ出してしまった場合には、はみ出した細断片が第２排出部１２ａなどに引っかかってしまうため、ダストボックス収納部１５から第１ダストボックス２０を引き出すことができなくなってしまう。このような状態でさらに細断を続けた場合、細断片を介して、軸状回転カッター体１２０による細断の力が第２ダストボックス３０に加えられる。このような力（荷重）が所定以上となると、突起部３２が保持部２４を乗り越えて、第２ダストボックス３０は保持部２４の弾性保持力に抗して落下する（図９）。これは、第２ダストボックス３０に収容された細断片の体積で考えれば、第２ダストボックス３０内の細断片の体積が所定値を超えたとき（所定体積以上となったとき）、第２ダストボックス３０は保持部２４の弾性保持力に抗して落下するとも言える。この間も２本の突条３６は２本の案内溝２６内を摺動するため、第２ダストボックス３０に加わる力は分散せずに上下方向に集中し、一定の力がかかることにより、第２ダストボックス３０は第１ダストボックス２０内で上下方向（重力方向）に落下する。これにより、第２ダストボックス３０の上面開口３０ａの上方の空間が、第２細断機構１２で細断された細断片を第２ダストボックス３０によって収容する空間として利用できるようになるため、実質的に収容空間を増加させることができるとともに、細断片が上面開口３０ａからはみ出したとしても上面開口２０ａからははみ出さないため第１ダストボックス２０をダストボックス収納部から確実に引き出すことができる。ここで、第２ダストボックス３０が落下するための荷重の大きさ（所定以上の荷重）は、第２ダストボックス３０の容量その他の仕様によって、保持部２４（第１ダストボックス２０）を構成する材料の弾性を選定するにより、定めることができるともに、第２ダストボックス３０から細断片があふれるか否かに拘わらず第２ダストボックス３０に収容される細断片が一定の重量を超えた場合に第２ダストボックス３０が落下するように定めることもできる。
【００３８】
以下に変形例について説明する。溝２２に代えて、図１０に示すように、上下方向に延び、かつ、軸状回転カッター体１２０の板バネ１２３に貫設された保持孔部１２１内に保持された一対の板バネ１２３、１２３を用いて案内支持部（保持手段）１２２を構成することもできる。ここで、図１０は、本発明の実施形態の変形例に係る第２ダストボックス３０の突起部が第１ダストボックスの溝に支持された状態を示す拡大側面図である。この一対の板バネ１２３、１２３は、その板面が互いに対向し、かつ、略上下方向に延びるように配置され、溝２２の保持部２４に対応する位置（所定位置）に、折り曲げ加工によって互いに接近するように形成された保持部１２４が形成されている。突起部３２は、軸部３２ａが保持部１２４の上部で弾性保持され、これにより第２ダストボックス３０が軸状回転カッター体１２０内の上下方向の所定位置に保持される。なお、保持部を設けることができれば、板バネ以外の弾性部材を用いることもできる。
【００３９】
また、図１１に示すように、第２ダストボックス２３０に溝（案内支持部）２３２を、第１ダストボックス２２０に突起部（保持手段）２２２を設けることもできる。ここで、図１１は、本発明の実施形態の変形例に係る第２ダストボックス２３０を第１ダストボックス内に収容する前の状態を示す拡大斜視図である。溝２３２は、第２ダストボックス２３０の側面２３３を貫通するとともに、上下方向（第２ダストボックス２３０の落下方向）（図１１の上下方向）に延びるように形成されている。溝２３２の上端及び下端には、第２ダストボックス２３０の突起部２２２の軸部２２２ａ及び頂部２２２ｂが挿抜可能な突起部挿入穴２３２ａ、２３２ｂが設けられている。この突起部挿入穴２３２ａ、２３２ｂの間には、突起部２２２の軸部２２２ａよりも狭い間隙となるように突出形成された保持部２３４が形成され、この保持部２３４の上下の溝部分は突起部２２２の挿抜はできないがその軸部２２２ａが上下に移動可能な幅を備えている。保持部２３４の弾性により、保持部２３４の上部で突起部２２２を弾性保持することができ、これにより、第２ダストボックス２３０を第１ダストボックス２２０内の上下方向の所定位置に保持する。なお、第１ダストボックス２２０及び第２ダストボックス２３０には、上述の案内溝２６及び突条３６と同様に、姿勢維持手段として、案内溝２２６及び突条２３６がそれぞれ設けられている。
【００４０】
さらにまた、図１２に示すように、第２ダストボックス３３０を、上述の第２ダストボックスと同様に第１ダストボックス２０の側面２３に対して落下可能に保持される落下可能部分３３１と、第１ダストボックス２０の側面２３に固定される固定部分３３２と、で構成することもできる。ここで、図１２は、本発明の実施形態の変形例に係る第２ダストボックス３３０の構成を示す斜視図である。この第２ダストボックス３３０では、略直方体の上下面が開放された形態の固定部分３３２が、落下可能部分３３１の上部を覆うように配置され、この固定部分３３２の上面開口３３２ａは第２排出部１２ａの下方に配置される。落下可能部分３３１は、上述の第２ダストボックスと同様に、所定以上の荷重がかかると落下し、落下可能部分３３１の上方には固定部分３３２により囲まれた空間が第２細断機構１２の細断片を収容する空間として確保される。すなわち、落下可能部分３３１に所定以上の荷重がかかると第２細断機構１２による細断片を収容するための空間が増大する。
【００４１】
また、図１３に示すように、第２ダストボックス４３０を、上下方向に沿って延び、かつ、互いに対向するように配置される一対の長板状部４３１、４３２と、中空略直方体形状の一側面が開放された形状の揺動部４３３及び揺動部４３４と、から構成することもできる。ここで、図１３は、本発明の実施形態の変形例に係る第２ダストボックス４３０の構成を示す斜視図である。揺動部４３３及び揺動部４３４は、長板状部４３１、４３２の下部を貫通する軸部４３０ａに対して揺動可能に取り付けられ、長手方向直交断面が長板状部４３１、４３２側が開いた略コの字状をなしている。この第２ダストボックス４３０は、上面開口４３０ｂが第２排出部１２ａの下方に配置され、第２細断機構１２による細断片が収容されないときは、揺動部４３３と揺動部４３４は互いに接触した閉じた状態だが、第２細断機構１２による細断片が収容されていき揺動部４３３と揺動部４３４に所定以上の荷重がかかると、揺動部４３３及び揺動部４３４は、上部が互いに離間するように軸部４３０ａを中心に揺動して開いた状態となり、第２ダストボックス４３０の収容空間が増大する。
【００４２】
また、上述の実施形態では、細断機構を第１細断機構１１と第２細断機構１２の二つとしたが、細断対象物の厚さ、材質に応じて、３つ以上に細分化してもよい。この場合は、プラスチックを細断するための細断機構の排出部の下方に、収容空間を増大させることのできるダストボックスを配置する。また、プラスチックのための細断機構のみを備える形態をとることもできる。この場合は、例えば、シュレッダ本体１０のダストボックス収納部１５に対してダストボックスを落下可能に取り付け、所定以上の荷重がかかったときに落下させることによって収容空間を増大させることができる。
【００４３】
また、第２ダストボックス３０、２３０、３３０は、細断状況に応じて手動で任意に落下させて細断片の収容空間を増大させることもできる。第２ダストボックス４３０も、細断状況に応じて手動で揺動部４３３、４３４を開いて細断片の収容空間を増大させることもできる。
【００４４】
本発明について上記実施形態を参照しつつ説明したが、本発明は上記実施形態に限定されるものではなく、改良の目的または本発明の思想の範囲内において改良または変更が可能である。
【図面の簡単な説明】
【００４５】
【図１】本発明の実施形態に係るシュレッダの構成を示す斜視図である。
【図２】本発明の実施形態に係るシュレッダの前面からダストボックスを引き出した状態を示す斜視図である。
【図３】本発明の実施形態に係るダストボックスを収納した状態のシュレッダのダストボックス引き出し方向に直交する断面図である。
【図４】本発明の実施形態に係る第１ダストボックスの側面の内面の構成を示す拡大図である。
【図５】（Ａ）は本発明の実施形態に係る第２ダストボックスの構成を示す斜視図、（Ｂ）はその側面図である。
【図６】本発明の実施形態に係る第２ダストボックスを第１ダストボックス内に収容する前の状態を示す拡大斜視図である。
【図７】本発明の実施形態に係る第２ダストボックスを第１ダストボックス内に収容した状態を示す拡大斜視図である。
【図８】本発明の実施形態に係る第２ダストボックスの突起部が第１ダストボックスの溝に設けられた保持部に保持された状態を示す拡大側面図である。
【図９】本発明の実施形態に係る第２ダストボックスが落下した後に、第２ダストボックスの突起部が第１ダストボックスの溝に支持された状態を示す拡大側面図である。
【図１０】本発明の実施形態の変形例に係る第２ダストボックスの突起部が第１ダストボックスの溝に支持された状態を示す拡大側面図である。
【図１１】本発明の実施形態の変形例に係る第２ダストボックスを第１ダストボックス内に収容する前の状態を示す拡大斜視図である。
【図１２】本発明の実施形態の変形例に係る第２ダストボックスの構成を示す斜視図である。
【図１３】本発明の実施形態の変形例に係る第２ダストボックスの構成を示す斜視図である。
【符号の説明】
【００４６】
１０    シュレッダ本体
１１    第１細断機構
１１ａ  第１排出部
１２    第２細断機構
１２ａ  第２排出部
２０    第１ダストボックス
２０ａ  上面開口
２２    溝（案内支持部）（保持手段）
２４    保持部
２６    案内溝（姿勢維持手段）
３０    第２ダストボックス
３０ａ  上面開口
３１    底面
３２    突起部（保持手段）
３６    突条（姿勢維持手段）
３８    脚部
１２２  案内支持部（保持手段）
１２３  板バネ
１２４  保持部
２２０  第１ダストボックス
２２２  突起部（保持手段）
２２６  案内溝（姿勢維持手段）
２３０  第２ダストボックス
２３２  溝（案内支持部）（保持手段）
２３４  保持部
２３６  突条（姿勢維持手段）
３３０  第２ダストボックス
４３０  第２ダストボックス
【図１】
2007307510.tif 000003
【図２】
2007307510.tif 000004
【図３】
2007307510.tif 000005
【図４】
2007307510.tif 000006
【図５】
2007307510.tif 000007
【図６】
2007307510.tif 000008
【図７】
2007307510.tif 000009
【図８】
2007307510.tif 000010
【図９】
2007307510.tif 000011
【図１０】
2007307510.tif 000012
【図１１】
2007307510.tif 000013
【図１２】
2007307510.tif 000014
【図１３】
2007307510.tif 000015